(57)【特許請求の範囲】
【請求項１】
少なくとも１つのキーブレードと、
少なくとも１つのキーブレードに対して可動の少なくとも１つの回転作動子とを有し、
回転作動子は、一体形成された操作手段と相互作用手段とを有し、
回転作動子は、キーブレードの面に直交する回転軸線を有し、少なくとも１つのキーブレードに並置され、
操作手段は、ロック挿入中ロックの面に押し付けられるように配置された回転作動子の一部であり、
キーがロック内に挿入されたとき、ロックの面によって操作手段に加えられる力が回転作動子を回転させ、相互作用手段の位置がキーブレードに対して変化し、
相互作用手段の位置の変化がロックの施錠および開錠作用の少なくとも一方の補助部であり、
少なくとも１つのキーブレードがロック内に挿入されていないとき、回転作動子の操作手段を押し下げるとともに当該操作手段と反対側の端部を押し上げるように付勢するための付勢手段が設けられることを特徴とするキー。
【請求項２】
キーは、操作手段に加えられる力がユーザーがキーをロックに挿入する力によって提供されるように作動することを特徴とする請求項１に記載のキー。
【請求項３】
相互作用手段は、キーをロックに挿入する際、相互作用手段がロック内に位置するように配置されたことを特徴とする請求項１または２に記載のキー。
【請求項４】
相互作用手段が、回転作動子の突出部であることを特徴とする請求項１ないし３のいずれか１項に記載のキー。
【請求項５】
キーは、少なくとも２つのキーブレードを有し、回転作動子が少なくとも２つのキーブレードの間に位置されたことを特徴とする請求項１ないし４のいずれか１項に記載のキー。
【請求項６】
少なくとも１つのキーブレードは、ロックタンブラーを操作するための歯を有することを特徴とする請求項１ないし５のいずれか１項に記載のキー。
【請求項７】
操作手段の少なくとも一部は、操作手段が押し下げられるとともに当該操作手段と反対側の端部が押し上げられた状態において、ロック挿入によりロックの面と当接するように配置されたことを特徴とする請求項１に記載のキー。
【請求項８】
少なくとも１つのキーブレードに対して可動な少なくとも１つの回転作動子を有し、回転作動子は、一体的に形成された操作手段と相互作用手段とを有し、キーブレードは結合されてキーを形成し、
回転作動子は、キーブレードの面に直交する回転軸線を有し、少なくとも１つのキーブレードに並置され、
操作手段は、キーをロックに挿入する間、ロックの面に押し付けられるように配置された回転作動子の一部であり、
キーブレードの少なくとも１つがロック内に挿入されたとき、ロックの面によって操作手段に加えられる力が回転作動子を回転させ、相互作用手段の位置が変化され、
相互作用手段の位置変化が、ロックの施錠および開錠の少なくとも一方の補助部であり、
操作手段に力が加えられていないとき、操作手段を押し下げるとともに当該操作手段と反対側の端部を押し上げるように回転作動子を付勢するための付勢手段が設けられることを特徴とするキーハンドル。
【請求項９】
キーハンドルは、ユーザーがロックにキーを挿入する際の力が操作手段に加えられるようになっていることを特徴とする請求項８に記載のキーハンドル。
【請求項１０】
相互作用手段は、ロックにキーを挿入する際、相互作用手段がロックの内部に位置するように配置されたことを特徴とする請求項８または９に記載のキーハンドル。
【請求項１１】
相互作用手段が、回転作動子の突出部であることを特徴とする請求項８ないし１０いずれか１項に記載のキーハンドル。
【請求項１２】
キーハンドルは、少なくとも２つのキーブレードを結合してキーを形成し、回転作動子は、２つのキーブレードの間に位置されたことを特徴とする請求項８ないし１１いずれか１項に記載のキーハンドル。
【請求項１３】
少なくとも１つのキーブレードは、ロックタンブラーの操作のための歯を有することを特徴とする請求項８ないし１２のいずれか１項に記載のキーハンドル。
【請求項１４】
操作手段の少なくとも一部は、操作手段が押し下げられるとともに当該操作手段と反対側の端部が押し上げられた状態において、ロック挿入によりロックの面と当接するように配置されたことを特徴とする請求項８に記載のキーハンドル。
【請求項１５】
ユーザーにより把持可能なハンドル本体を形成する少なくとも一部を有し、少なくとも１つのキーブレードは、ハンドル本体に嵌合されることを特徴とする請求項８ないし１４のいずれか１項に記載のキーハンドル。
【請求項１６】
キーにより操作されるロックにおいて、
キーブレードと係合し、ロックの施錠および開錠の少なくとも一方の部分を提供する複数のタンブラと、
キーに配置された回転作動子の相互作用手段に応答し、キーブレードに対して可動で、ロックの施錠および開錠の少なくとも一方の補助部を提供する少なくとも１つの干渉手段とを有し、
回転作動子は、キーブレードの面に直交する回転軸線を有し、キーブレードに並置され、
回転作動子は、一体に形成された操作手段を有し、操作手段は、ロックに挿入している間、ロックの面に押し付けられるように配置され、
キーがロック内に挿入されたとき、ロックの面によって操作手段に加えられる力が回転作動子を回転させ、少なくとも１つの干渉手段と係合するために、相互作用手段の位置がキーブレードに対して変化し、
少なくとも１つのキーブレードがロック内に挿入されていないとき、前記回転作動子の操作手段を押し下げるとともに当該操作手段と反対側の端部を押し上げるように付勢するための付勢手段が設けられることを特徴とするロック。
【請求項１７】
干渉手段が、ロックの一部を塞ぎ、ロックを開錠させない閉塞要素を有することを特徴とする請求項１６に記載のロック。
【請求項１８】
干渉手段が、アンビルに支持されたリロッカーバーを有し、アンビルが回転作動子の相互作用手段に応答してリロッカーバーを上下動させ、リロッカーバーは、施錠位置においてロックのサイドバー溝を塞ぎ、開錠位置においてサイドバー溝を開くことを特徴とする請求項１６または１７に記載のロック。
【請求項１９】
キーブレードの歯に応答するタンブラーを有し、タンブラーをロックのプラグを回転させない位置から対応するプラグを取り囲むシェルに移動させることを特徴とする請求項１６ないし１８のいずれか１項に記載のロック。
【請求項２０】
少なくとも１つのキーブレードと、少なくとも１つのキーブレードに対して可動な少なくとも１つの回転作動子とを有するキーと、
キーによって作動するロックとを有し、
少なくとも１つの回転作動子は、一体形成された操作手段と相互作用手段とを有し、
少なくとも１つの回転作動子は、キーブレードの面に直交する回転軸線を有し、少なくとも１つのキーブレードに並置され、
操作手段は、ロックに挿入されている間、ロックの面に押し付けられるように配置された少なくとも１つの回転作動子の一部であり、
回転作動子は、操作手段に加えられる力により回転し、相互作用手段の位置がキーブレードに対して変化し、
ロックは、ロックのプラグを取り囲むロックシェルにロックするための干渉手段を有し、干渉手段は、ロックの施錠および開錠の少なくとも一方の補助部として相互作用手段に応答し、
少なくとも１つのキーブレードがロック内に挿入されていないとき、回転作動子の操作手段を押し下げるとともに当該操作手段と反対側の端部を押し上げるように付勢するための付勢手段が設けられることを特徴とするセキュリティシステム。
【発明の詳細な説明】
【０００１】
【発明が属する技術分野】
本発明は改良されたキー、キーハンドル、ロック装置に関する。
【０００２】
【従来技術】
従来技術におけるサイドバーロックは円筒状のプラグを含み、このプラグは、外側のハウジングすなわちシェル内に取込まれてこのシェル中で回転する。さらにこのシェルは、適切なラッチ構造体内に取付けられている。そしてプラグは、シェルとプラグとの間の干渉（interference）によってシェル内で施錠される。プラグのサイドバーが、シェルの側部に沿って配置されたサイドバー溝内で延びているときに、この施錠状態が生じる。これによって、プラグはシェルに対して回転しなくなるのである。
【０００３】
ロックは、サイドバーから方向づけられプラグ内部に向かって突き出るサイドバーピンを備えている。ロックが施錠状態にあるとき、サイドバーピンは、プラグ内に配置されたタンブラーの対応する穴に揃って並ばない。つまり正しいキーが挿入されない限り、サイドバーピンはプラグの全長を通るサイドバースロット内に引き込めない。正しいキーが挿入されると、タンブラーがそれぞれの度合いで上がっていき、タンブラー穴がサイドバーピンと揃って並ぶようになる。その結果、サイドバーは、プラグの側部内のスロットに嵌まることができ、もはや、シェル内でのプラグの回転を妨害するものとして作動しなくなる。つまりサイドバーは、もはや、プラグの回転を妨害するものとして作動しなくなるのであるから、ロックは開錠状態にあるといえる。
【０００４】
このようなロックは高度なセキュリティを提供するものではあるが、ロックの不正開錠に対する構えがさらに十分であれば望ましい。
【０００５】
本発明の目的は、セキュリティの高いキー、そのようなキーのハンドル、そのようなキーで操作する対応ロックのいずれかひとつを提供することである。
【０００６】
本願の第１の発明によって提供されるキーは、操作手段と相互作用手段とを有する回転作動子を含み、これら操作手段と相互作用手段の配置構成が、キーをロック内に挿入すると、操作手段に力がかかり相互作用手段のポジションが変化するように操作を介して（operatively）なるものである。
【０００７】
キーが、ロックの開口部を通ってキーを挿入する際にユーザーがかける手動力から提供された力が操作手段にかかるように、操作を介して成っていると好ましい。
【０００８】
相互作用手段のポジション変化が、キー本体に対して回転可能である回転作動子によって達成されると好ましい。
【０００９】
あるいは、相互作用手段のポジション変化が、キー本体に対して旋回可能である回転作動子によって達成されてもよい。
【００１０】
操作手段が、ロック挿入中にロックの面に押し付けられるように成って位置づけられた回転作動子の一部を含むと好ましい。
【００１１】
相互作用手段が、ロックの施錠動作もしくは開錠動作中においてそのロックと相互作用するように、操作を介して成っていて、さらに相互作用手段のポジション変化が施錠動作もしくは開錠動作の一部であると好ましい。
【００１２】
相互作用手段が、キー挿入に際して実質的にロック内部に位置づけられるように、操作を介して成って配列されると好ましい。
【００１３】
相互作用手段が、回転作動子からの突出部を含むと好ましい。
【００１４】
キーにキーブレードが設けられ、回転作動子がこのブレードと横並びに位置づけられていると好ましい。
【００１５】
キーに少なくとも２本のブレードが設けられ、回転作動子が２本のブレードの間にある平面に沿って揃って並んでいてもよい。
【００１６】
各ブレードがキーのハンドル部分に接続されて、回転作動子の操作手段が実質的にこのハンドル部分によって遮へいされ、いっぽう相互作用手段は少なくとも部分的にブレード部分によって遮へいされていてもよい。
【００１７】
単一のブレードもしくは複数のブレードのそれぞれが、ロックタンブラーの操作用に、歯をさらに含むと好ましい。
【００１８】
キーが、ロック内に挿入されていないとき第１ポジションに回転作動子を付勢するための付勢手段をさらに含むと、好ましい。
【００１９】
前記第１ポジションにおいて、前記操作手段の一部がキーの表面を越えて突きだし、その結果、ロック挿入に際して、この操作手段の一部が、ロックの面と当接するように、操作を介して成っていると好ましい。
【００２０】
第２の発明の提供するキーハンドルは、操作手段と相互作用手段とを有する回転作動子を含み、操作手段に力をかけた際、相互作用手段のポジションが変化し、そしてこのキーハンドルが、キーハンドルに付くキーブレードに適合され、形成するキーが、ロックの面における開口部を通って挿入されるように操作を介して成るものである。
【００２１】
第３の発明の提供するキーによる操作用ロックは、前記キーが操作手段と相互作用手段とを有する可動要素を含み、前記ロックが相互作用手段に対応してロックを解く干渉手段を含むものである。
【００２２】
干渉手段が閉塞要素を含み、この閉塞要素がロックの一部の障害となり、ロックの開錠に必要な段階が起きないようにすると好ましい。
【００２３】
ある実施態様では、干渉手段はアンビルに支持されたリロッカーバーを含み、アンビルが相互作用手段に対応してリロッカーバーを上下させ、その結果、施錠ポジションにおいてリロッカーバーはロックのサイドバー溝における障害となり、いっぽう開錠ポジションにおいてリロッカーバーはサイドバー溝に入らないようになっている。
【００２４】
ロックがタンブラーをさらに含み、このタンブラーがキーのブレード上に配置された歯に対応し、タンブラーによってロックのプラグがプラグを取り囲むシェルに対して回転しないようにさせるそのポジションからタンブラーを移動させるようになっていると好ましい。
【００２５】
第４の発明が提供するセキュリティシステムは、
ａ）操作手段と相互作用手段とを有する作動手段を含むキーで、操作手段に力をかけると相互作用手段のポジションが変化する、前記キーと
ｂ）キーによる操作用のロックで、このキーがロックのプラグを取り囲むロックシェルに施錠させるための干渉手段を含み、この干渉手段が相互作用手段に対応して、前記ロックの開錠を行う、前記ロックとを含むものである。
【００２６】
第５の発明が提供するセキュリティシステムは、
ａ）上記のキーと
ｂ）上記のロックとを含み、
キーの回転作動子が、ロックの干渉手段と相互作用し、キーの相互作用手段のポジションの変化が、ロックの干渉手段のポジション変化を引き起こし、ロックの開錠を達成するようになっているものである。
【００２７】
【発明の実施の形態】
本発明をより十分に理解するため、本発明の実施例を添付図面を参照しながら説明する。ただし、これら実施例に限定されない。
【００２８】
以下に、本出願人が製造販売している従来技術としてのＢｉｌｏｃｋ（登録商標）に関して、従来の実施態様を述べる。これらの装置では、高度なセキュリティに適用できるように、ブレードが２本ついたキーを利用している。図１を参照すると、従来技術のプラグロック１が示されている。このロック１は、可動プラグ２を有し、このプラグはハウジング４の長手方向の通孔３に滑動可能に収まる。さらにプラグ２はキーウェイ５と複数のタンブラー孔６を有する。タンブラー孔６はキーウェイ５と揃って並んでピンタンブラー７を受けられるようになっている。タンブラー７はタンブラーバネ８によってタンブラー孔６内に内向きに付勢され、続いてバネ８はタンブラー孔６内でカバー９によって確保される。タンブラー７はそれぞれ、サイドバーロックの技術分野で知られているとおり、タンブラーピン横穴１０を備えている。プラグ２は両側に長手方向に配置されたサイドバー受け１１を備えている。それぞれの受け１１は、ロックが開錠状態にあるとき、サイドバー１２が嵌まることができるようになっている。サイドバー１２は、サイドバーの側部に沿って配置された一列のピン１３を有する。ピン１３がプラグ２と対面するがわについている。サイドバー１２は、サイドバーバネ１４やこの技術分野で公知の他の付勢手段によって、プラグ２から遠ざかるように付勢されている。一列の横孔１５は、それぞれのサイドバー受け１１の全長に沿って設けられている。この横孔１５はプラグ２を貫通している。
【００２９】
正しいキー１７のブレード１６がキーウェイ５内に挿入されると、それぞれの横孔１５がタンブラー孔６と連通し、タンブラーのピン穴１０と合致する。こうして、サイドバーバネ１４に勝る十分な力がかかると、サイドバー１２がサイドバー受け１１内に引き込まれる。このような十分な力は、ユーザーが挿入キー１７を回転させてプラグ上に回転トルクをかけて、サイドバー１２にかかった半径方向の力の結果、サイドバー１２がサイドバー受け１１に押し込まれるようになったときにかかる。この半径方向の力は、ハウジング４内に在るサイドバースロット１８の側部が斜角を成すことから生ずるものである。結局ロックは、サイドバー１２がサイドバー受け１１内におおむね位置づけられて、もはや通孔３内でのプラグ２の回転を抑止しなくなったときに、開錠状態にあるといえる。
【００３０】
図２は、キー１００の実施態様の断面図を示している。キー１００は、ブレード部１２０とハンドル部分１１０としてのハンドル部とを含む。キーは、ロックの面１３０における開口部もしくはキーウェイに貫入させることができるようになっている。キーのブレード１２０には歯１２５が設けられており、これらの歯はロック内に在るロックタンブラー（図示せず）との相互作用操作を意図したものである。この実施態様では、ブレード１２０の直立面における穴もしくは開口は、弱いところもしくは応力の集中するところとして機能することになるので、ないほうが良い。
【００３１】
キー１００は作動子片１０１として具現化された回転作動子を含む。図２から３Ｃの実施態様において、作動子片１０１は、ブレード１２０を２本有するキー１００の一部として示されている。このようにブレードが２本の実施態様においては、作動子片１０１は２本のブレードの間に位置づけられている。
【００３２】
回転作動子は操作手段と相互作用手段とを有する。操作手段は、本実施態様では、かかってくる力を受けられるようになっている作動子片１０１のエッジ１０２として、回転作動子の一部を構成する。この回転作動子のエッジ１０２は、キー１００がロック内に挿入されたときに、ロックの面１３０に押し付けられるように成って配列されている。また本実施態様において相互作用手段は、前方ツノ１０５としての回転作動子からの突出部となっている。作動子片のエッジ１０２に力がかかると、この力によってツノ１０５の位置が変化する。
【００３３】
回転作動子が動いた結果、相互作用手段の位置が変化する。たとえばこの実施態様においては、作動子片１０１が動くと、ツノ１０５の位置が変化する。
【００３４】
作動子片１０１は、キー１００の本体に対して旋回可能である。図２の実施態様において、作動子片１０１は、横スピン区分１１７のエッジ１０３を軸に自由旋回する。回転作動子が、キー本体に対して単なる旋回というよりも回転できる別の実施態様もある。
【００３５】
キーは、ロック内に挿入されていないとき第１ポジションに回転作動子を付勢する付勢手段を含む。図２は第１ポジションにおける作動子片を示している。ロック挿入中は、弾性を有するトング１０４としての付勢手段は、作動子片に接触し作動子片を第１ポジションに向かって押し戻し、キーをロックから引き抜いたときに、回転作動子が第１ポジションに戻るようにしている。弾性を有するトング１０４は作動子片のアーム１０９を押し上げる。かくしてキー１００をロック内に挿入するのに先立って、弾性を有するトング１０４が作動子片１０１を横エッジ１０３を軸に時計方向に旋回させるのである。この第１ポジションにおいては、キーを完全に挿入するのに先立って、作動子片１０１の前ツノ１０５が、図２に示されたように、ロックのキーウェイ内に入るのに適した低いプロフィールをとる。なお、弾性を有するトングは、たとえば適切なプラスチック材料で形成できる。
【００３６】
図３Ａにおいて、ユーザーがキー１００をロック内に押し込んで挿入させると、作動子片のエッジ１０２はロック面１３０に当接する。かくして、キーを挿入させたときの力を受けて、作動子片のエッジ１０２がロック面１３０に力をかける。これに対して、同じ大きさの反力がロック面１３０から反対向きに作動子片のエッジ１０２にかかる。こうして作動子片のエッジ１０２は、ロック面１３０の表面によってかけられる反力を受けるように、操作を介して成っているといえる。回転作動子のエッジ１０２に作動する反力によって、ツノ１０５として具現化されている相互作用手段の位置が変化する。ロック面１３０によって、作動子片１０１はエッジ１０３のまわりに反時計方向に回転もしくは旋回できるようになったのである。キーを挿入するのにユーザーがかけた力が十分に大きくて、弾性を有するトング１０４の付勢力に勝るようになったことによってそのときに、このような状態になる。結局、作動子片が反時計方向に回転するので、これによってツノ１０５の位置が変化する。かくして、図３Ａに示されたように、ツノ１０５は距離Ｙ分だけ上がる。したがって、ツノ１０５は、ロックのメカニズムと相互作用するようになっている可動要素として機能している。回転作動子の役割は、この動きを提供して、相互作用手段、たとえばツノ１０５の位置を変化させることである。
【００３７】
相互作用手段の目的は、何らかの方法でロックのメカニズムと相互作用できる可動要素を提供することである。この可動要素がキーやキーハンドルに設けられているために、相互作用手段がロックメカニズムで動けるようになってからこのメカニズムが完全に作動されるようなロックをデザインできるようになった。
【００３８】
図２および図３Ａの実施態様のデザインを支える原理は、作動子片１０１の回転運動または旋回運動によって、ツノ１０５がキーの長手方向の軸を横切る方向に動くということである。図３Ａにおいて、ツノ１０５のこの横切る方向の動きは、距離Ｙ分の範囲内である。かくして、相互作用手段のこの横切る方向の動きをロックの施錠および／または開錠メカニズムに組み込ませてデザインできるようになった。長手方向の軸に平行にかかる力によって作動されるロック内の動きの場合、泥棒のような不正ユーザーが、たとえばキーウェイに長いロッドを挿入させて、簡単にまねることはよくある。しかし、長手方向の軸を横切る方向にあるいは垂直にかかる力によって作動されるロック内の動きの場合、不正ユーザーは容易に模倣できない。
【００３９】
さらに、この実施態様においては、ツノ１０５は、上記したようにキーをロックに挿入したときにユーザーがかける力と同じ大きさの力を横切る方向にかけることが可能である。これは、キー挿入の力が回転作動子を動かすのに使われ、このことによって相互作用手段が横切る方向に動かされることによる。こうして、相互作用手段によって供された横切る方向の力が、従来技術において実効された横切る方向のどの力よりも大きいという利点が、もたらされた。つまり従来技術では、ロック内部の横切る方向の力は内部バネなどによって供されたものであり、キー挿入の力によって作動されたこの実施態様の相互作用手段によって供された力ほど大きくないのである。ツノ１０５のような相互作用手段によって供された横切る方向の力によって、ロックデザイナーは、この横方向の力によって動かさなければならないロック用あるいはロック内の構成部品がより大きくなったロッキングメカニズムであっても創れるようになった。図６Ａおよび図７に示したように、本明細書で後述するロックの実施態様では、動かすのにさらに大きな力を必要とする構成部品が含まれている。
【００４０】
相互作用手段はロックメカニズムと相互作用するように意図されているので、相互作用手段のとるべき配列としては、キー挿入に際して相互作用手段がロック内部にはいっているのが好ましい。この実施態様においては、ツノ１０５として形成された相互作用手段は、図２に示されたように、ハンドル部分１１０の面１０８を越えて突出している。したがってキー１００がロック内に挿入されたとき、ハンドル部分の面１０８はロック面１３０と当接する。かくして、ツノ１０５がハンドル部分の面１０８を越えて突出しているという事実は、ツノ１０５がロック内部に挿入されること、そしてツノ１０５のポジションの変化がロックの内部操作に組み込まれることを意味する。
【００４１】
図２において、作動子片１０１の本体は実質的にハンドル部分１１０によって遮へいされている。ただし、図２に示したとおり、作動子片のエッジ１０２として形成された操作手段は、ハンドル部分の面１０８をわずかに越えて突出している。したがって、作動子片のエッジ１０２は、キー挿入中にロック面１３０と当接できる。
【００４２】
他の実施態様として、相互作用手段がキーハンドルに支持されているものも好ましく、さらに、ロック面の外側に配置された外部メカニズムと相互作用するようにされていてもよい。このような実施態様においては、相互作用手段、たとえばツノ１０５は、ハンドル部の面１０８から突出している必要はない。そうではなくて、ロックの外部メカニズムが、キーハンドルをとおりぬけてキーの相互作用手段と相互作用するようになっているのである。しかし、このような実施態様の場合、ロックの外部メカニズムが損傷することがある。このため、相互作用手段がロックに入る前述の実施態様のほうが、相互作用手段と相互作用するロックメカニズムがロック面の外部もしくは外側にあるこれら他の実施態様より、好適である。
【００４３】
図２から図３Ｃの実施態様おいて、キーには２本もしくはそれより多くのブレードが設けられている。回転作動子の平面はブレードのひとつに横付けされ、２本のブレード間および／またはハンドル部分１１０の２枚の壁間の平面に沿って並ぶと好ましい。こうすることによって、キーの平らな表面で遮へいされた状態で、作動子片１０１が動ける。たとえば図２において、作動子片１０１の本体は実質的にハンドル１１０の表面で遮へいされ、ツノ１０５は実質的にもしくは少なくとも部分的にブレード１２０の表面で遮へいされている。こうして、作動子片１０１は損傷からある程度保護され、耐久寿命も伸びることになる。
【００４４】
図３Ｄには、作動子片１０１を有するハンドル部分１１０となった本発明の別の実施態様が示されている。ブレード部分は一切付いていない。ブレード部分１２０が未だ付いていないということを除けば、すべてに関して、図３Ｄのハンドル部分１１０は、図２および図３Ａに示されたハンドル部分と同じである。この実施態様は、本発明が回転作動子を有するハンドル部分として具現化できることを示したもので、この場合、錠前屋やエンドユーザーのようなユーザーが、ブレード部分を後で付けるようになっている。ブレード部分は従来のデザインでよく、実施態様の特徴はすべて、ハンドル部分に在るかもしくはハンドル部分に支持されている。したがって、本発明はその最も広い態様において、ユーザーが従来のブレード部分を付ければよいのであるから、ブレード部分を有したものに限定されない。
【００４５】
上記したようなキーやキーハンドルの実施態様における相互作用手段で相互作用の可能なロックについて、その実施態様を以下に述べる。
【００４６】
図４Ａは、上述の種類のキーやキーハンドルの実施態様に在る相互作用手段での相互作用の結果として、施錠される、および／または、開錠されるメカニズムを含んだロックの実施態様を示している。
【００４７】
従来技術のロックである図１のものと対照させて、図４Ａの実施態様を比較する。（単に本実施態様を容易に理解するために、従来技術および実施態様のいずれにおいても、同様の部品は同様の数字で表されている）。図１の従来技術と対照的に、図４Ａのロックには通路２０３（図６Ｂにもっともよく示されている）が設けられている。この通路２０３はプラグの長手方向の軸を横切って、一方のサイドバー溝１１から、プラグのもういっぽうの側にある他方もサイドバー溝１１まで、延びている。
【００４８】
図４Ａでは、ロックプラグ２には干渉手段が設けられ、この手段は、図５により明瞭に示された２つのディスク２１２、２１３とを含む。図５では、ディスク２１２、２１３はクロスバー２１１によって接続され、このクロスバーはディスクと共に、ダンベルのような外観のリロッカーバー２０９を形成する。リロッカーバー２０９には下向きに下がる支柱もしくは支持体２１４が設けられている。このクロスバー２１１は、アンビル２２１の頭部に係合している。
【００４９】
図４Ａにおいて、ディスク２１２、２１３が通路２０３まで上がったとき、ディスクはこの上方ポジションではサイドバー溝１１における障害となることはない。しかしディスク２１２、２１３が（図６Ｂに示されたように）サイドバー溝１１まで下がったとき、ディスクは障害となってサイドバー１２がサイドバー溝１１に入るのを妨害する。したがってディスクがこの下方ポジションにあるとき、ロックは施錠ポジションにあるといえる。そこで、リロッカーバー２０９のディスク２１２、２１３の動きは、ロックの施錠および開錠メカニズムに不可欠なものである。後述するように、ディスクの動きは、上記したような種類のキーと同様のキーの実施態様における相互作用手段での相互作用によって、達成される。
【００５０】
図２のキーの作動子片上のツノ１０５の横切る方向の動きによって、ディスク２１２、２１３の上向きおよび下向きの動きが生じる。ツノ１０５に、ディスク２１２、２１３までの動きをもたらすことが可能となるように、ロックには通行路が設けられ、この通行路を通ってキーの相互作用手段がロックの相互作用手段と相互作用できるようになっている。図４Ｂの好適な実施態様における通行路は、垂直なもしくは直立流路２１５を有する。この垂直流路２１５は、通路２０３と連通している。垂直流路２１５の上方開口部２０８は、通路２０３の下側面から始まり、キーウェイのうね２１７の根本まで下向きに延びて、流路２１５用の下方開口部２１６を形成している。図６Ａでは、リロッカーバー２０９がプラグ内に納められたとき、付勢バネ２２５もプラグ内でアンビルのディスク２１２、２１３とリロッカーバー２０９を、施錠ポジションに向かって下向きに付勢している。
【００５１】
図６Ａにおいて、図４Ａのプラグロック内部に位置づけられたリロッカーバー２０８が示されている。このロックは、以下に述べるようにして、図２のキーによって操作される。（図２の）ツノ１０５はロック内部、直立流路２１５の内側を可動になっている。リロッカーバー２０９の支柱２１４もこの直立流路内部に位置づけられて、流路２１５内で、ツノ１０５の先端が支柱２１４の根本に当接できるようになっている。アンビル２２１の支柱２１４は、図５に示されたように、垂直流路２１５内部に収まるような寸法になっている。
【００５２】
図６Ａおよび図６Ｂに示されたように施錠ポジションにおいては、サイドバー１２はプラグ２から遠ざかるように付勢されて、図１に示した従来技術のロックのときと同様に、サイドバーはシェル４の溝２２０、２２２内に係合される。ただし施錠ポジションにおいて示されている図６Ａの実施態様では、付勢バネ２２５がリロッカーバー２０９を下向きに押し付けて、ディスク２１２、２１３がサイドバー溝１１における障害となる。したがって施錠状態では、リロッカーバーのディスク２１２、２１３は、少なくとも部分的に溝１１内に着し、それによってサイドバー１２を溝１１に戻さないようにしている。つまり、ディスク２１２、２１３は少なくとも部分的にサイドバー溝１１内に入っているので、ハウジング４の通孔３に対してプラグ２を回転させようとしてキーに力をかけたとしても、サイドバー１２がサイドバー溝１１に引き戻されるようなことはあり得ない。結局、図６Ａに示されたように、リロッカーバー２０９が下方ポジションをとるときは、プラグの回転は避けられ、ひいてはプラグも開錠されないということである。
【００５３】
プラグ２を通孔３内部で回転させるために、リロッカーバー２０９は外れるまで上がらなければならず、こうなるとディスク２１２、２１３はもはやサイドバー溝１１における障害にはならない。この開錠を実効するために、図２のキーをプラグのキーウェイ５内に挿入する。作動子片１０１をロックの面１３０に押し付ける。こうするとツノ１０５は、垂直流路２１５を通って上がるようになり、それによってツノ１０５はリロッカーバーの支柱２１４を押し上げる。
【００５４】
リロッカーバー２０９の上向きの動きによって、ディスク２１３および２１２が持ち上げられ、通路２０３中のハウジング凹部２２７、２２９内に押し込まれ、ディスクはもはやサイドバー溝１１における障害にはならない。次いで、シェル４の溝２２０、２２２にサイドバー１２を押し付けるためには、ユーザーは単にキーを用いて回転力をロックにかけるだけのことである。こうすることによって、サイドバー１２はプラグのサイドバー溝１１に引き込まれる。図４Ａのロックの操作に関してロックタンブラーの操作の説明は行っていないが、ロックが、操作が標準的で図１の従来技術のロックに関して説明したのと同様のタンブラーとそれに付属の構成部品を有していると好ましい。
【００５５】
図７から図９に示したロックのさらに別の実施態様では、干渉手段を用いており、これは図５のリロッカーバーとは、２個のディスクではなく干渉要素を一つだけ用いているという点で異なっている。ここで、干渉要素はブロック２１２となっている。この実施態様の構成部品の形状やデザインは、図６Ａの実施態様と異なっているが、機能は同じである。干渉手段がひとつだけ使用されているため、サイドバー溝１１Ｃもサイドバー１２Ｃも一つずつしか要らない。
【００５６】
図８は、内側通路２０３や直立流路２１５を覆うための取り外し可能なカバー３００の分解図である。ブロック２１２と支持体２１４の構成部品をプラグ内部に配した後は、カバー３００でプラグの開口部をシールする。図９は、組立てた状態のリロッカーバーのさらなる実施態様である。
【００５７】
実施態様を支える原理は、ロックの施錠メカニズムと相互作用できるような動きをもたらしうる、キーに含まれている、もしくはキーハンドルによって支持されている、メカニズムを提供することである。回転作動子が相互作用手段に横切る方向の動きを提供する実施態様について述べてきたが、当業者であれば当然、相互作用手段に同様の動きをもたらす他の回転作動子を想到できるであろう。したがって、本発明はその最も広い態様において、図２や図３Ｄに示された作動子片１０１の形状や構造に限定されない。
【００５８】
また、好適な実施態様では、作動子片の平面がキーブレードの側壁と平行であったが、回転作動子の平面がキーブレードの面を横切る他の実施態様も可能である。
【００５９】
図２のキーと図６Ａや図７のロックとを組み合わせて形成したセキュリティシステムの実施態様においては、キーの回転作動子がロックの干渉手段と相互作用して、キーの相互作用手段のポジションが変化し、さらにロックの干渉手段のポジションも変化し、ロックの開錠を達成するようになった。
【００６０】
本発明の実施態様によるキーに対応するロックの実施態様を２種類だけ述べたが、当業者にとっては当然、他のデザインがあることは明らかである。たとえば、作動子片のツノがタンブラーを押しつけて、プラグとシェルとの間を干渉しないように位置づけた別の実施態様がある。キーについても同様に他のデザインのものも可能である。たとえば、回転作動子をロックの面に押し付けるのではなく、キーのハンドルを絞ったり、回転させたり、あるいは押し付けたりして、可動要素に操作力をかけることもできる。本発明は、ブレードが１本だけのキーにおいても具現化可能である。このような場合、相互作用手段が単一のブレードの内側、もしくはそのブレードに横並びになっていてよい。さらに、可動要素が回転したり旋回したりするのでなく、滑動したり、あるいは曲線を描くトラックに沿って動いてもよい。図３Ｂおよび図３Ｃに示されているように、本発明のメカニズムの機能に影響を及ぼすことなく、キーハンドルの外観を変更してもよい。結局、前記請求範囲は広く解釈されるべきであり、上記で説明してきた好適な実施態様に限定すべきではない。
【図面の簡単な説明】
【図１】  従来技術のロックの分解図。
【図２】  キーがロックに挿入されていないときの作動部材の方向を示すキーの実施態様の断面図。
【図３Ａ】  キーがロックに挿入されているときの作動部材の方向を示す図２のキーの断面図。
【図３Ｂ】  回転作動子を有するキーの実施態様の分解図。
【図３Ｃ】  図３Ｂのキーの組立状態の実施態様を示す図。
【図３Ｄ】  キーブレードが未だキーハンドルに着いていないときの回転作動子を有するキーハンドルの実施態様を示す図。
【図４Ａ】  図２のキーによって操作可能なロック構成部品の実施態様を示す図。
【図４Ｂ】  内部構造をアウトラインで示した、図４Ａのロック構成部品を示す図。
【図５】  図４Ａおよび４Ｂのロック構成部品を施錠したり開錠したりするのに使う、リロッカーバーを示す図。
【図６Ａ】  ロックのプラグ内部に配置された図５のリロッカーバーが付いて示された図４Ａのロック構成部品付きのロックを示す図。
【図６Ｂ】  図６Ａのロックの図６ＡのＡ−Ａを通る平面についての断面図。
【図７】  図４Ａから６Ｂの実施態様と、サイドバーと干渉要素とが一つずつしか備わっていないリロッカーを有する点で異なる、ロックの別の実施態様の分解図。
【図８】  図７のロックの別の構成部品の分解図。
【図９】図７のロックに使用されるリロッカーバーの実施態様の詳細図。
【図１】
0004540849.tif 000002
【図２】
0004540849.tif 000003
【図３ａ】
0004540849.tif 000004
【図３ｂ】
0004540849.tif 000005
【図３ｃ】
0004540849.tif 000006
【図３ｄ】
0004540849.tif 000007
【図４ａ】
0004540849.tif 000008
【図４ｂ】
0004540849.tif 000009
【図５】
0004540849.tif 000010
【図６ａ】
0004540849.tif 000011
【図６ｂ】
0004540849.tif 000012
【図７】
0004540849.tif 000013
【図８】
0004540849.tif 000014
【図９】
0004540849.tif 000015